(57)【特許請求の範囲】
【請求項１】
車両の運転者に注意喚起をするための対象を表示する表示手段と、前記車両の進路前方の交差点を検出する交差点検出部と、を備え、
前記車両が交差点に接近するとき、前記交差点検出部の検出結果に基づき、前記対象の外縁の少なくとも一部が前記表示手段の中央から、前記交差点において前記車両の進路と交差する道路が存在する側のみへ向けて移動するよう、前記対象を変形させて前記表示手段に表示することを特徴とする運転支援装置。
【請求項２】
前記車両が、前記車両の進路と交差する道路が左右に存在する前記交差点に接近するとき、前記対象を左右に分割し、左側に分割された対象が前記表示手段の中央から左側へ、また、右側に分割された対象が前記表示手段の中央から右側へ移動するよう、前記対象を変形させて前記表示手段に表示することを特徴とする、請求項１に記載の運転支援装置。
【請求項３】
前記車両の前記交差点への接近度合いに応じて、前記変形された対象の移動量を変化させることを特徴とする、請求項１または２に記載の運転支援装置。
【請求項４】
事故のリスクが高まる状況を示す判断要件と、運転者の運転行動情報または道路環境情報との比較結果に基づき、前記変形された対象の特徴量を強調させることを特徴とする、請求項１〜３のいずれか１項に記載の運転支援装置。
【発明の詳細な説明】
【技術分野】
【０００１】
本発明は、運転支援装置に関する。
【背景技術】
【０００２】
従来、運転者による車両の運転を支援するための運転支援技術の一つとして、車両が交差点を通過する際に、運転者に対して注意喚起するものが知られている。例えば特許文献１には、交差点への進入速度に応じて、速度超過時には警報を運転者に提示し、注意を促すことができる運転支援装置が開示されている。
【先行技術文献】
【特許文献】
【０００３】
【特許文献１】特開２０１１−０３９７０５号公報
【発明の概要】
【発明が解決しようとする課題】
【０００４】
しかしながら、上述の従来技術では、運転者への注意喚起手法が警報を提示するという一律のものであり、運転者の現在状況については考慮されていない。このため、警報の提示により運転者に煩わしさを感じさせたり、警報の内容を運転者にうまく伝えることができない場合があった。このように、従来技術では、運転者に煩わしくないように、かつ、効果的に注意喚起を行う点で改善の余地があった。
【０００５】
本発明は、上記に鑑みてなされたものであって、交差点に接近する車両の運転者に対して、運転者の煩わしさを低減して、かつ、効果的に注意喚起することができる運転支援装置を提供することを目的とする。
【課題を解決するための手段】
【０００６】
上記課題を解決するために、本発明に係る運転支援装置は、車両の運転者に注意喚起をするための対象を表示する表示手段を備え、前記車両が交差点に接近するとき、前記対象の外縁の少なくとも一部が前記表示手段の中央から外側へ向けて移動するよう、前記対象を変形させて前記表示手段に表示することを特徴とする。
【０００７】
また、上記の運転支援装置は、前記車両が前記交差点に接近するとき、前記対象を左右に分割し、左側に分割された対象が前記表示手段の中央から左側へ、また、右側に分割された対象が前記表示手段の中央から右側へ移動するよう、前記対象を変形させて前記表示手段に表示することが好ましい。
【０００８】
また、上記の運転支援装置は、前記車両の前記交差点への接近度合いに応じて、前記変形された対象の移動量を変化させることが好ましい。
【０００９】
また、上記の運転支援装置は、運転者の運転行動情報または道路環境情報に基づき、前記変形された対象の特徴量を強調させることが好ましい。
【発明の効果】
【００１０】
本発明に係る運転支援装置は、車両の運転者に注意喚起をするための対象の外縁の少なくとも一部を表示装置の中央から外側へ移動するよう変形させて表示することで、車両が交差点に接近する際に運転者の視野を広げるよう誘導し、これにより運転者の注意を促すことができる。この結果、本発明に係る運転支援装置は、交差点に接近する車両の運転者に対して、運転者の煩わしさを低減して、かつ、効果的に注意喚起することができるという効果を奏する。
【図面の簡単な説明】
【００１１】
【図１】図１は、本発明の一実施形態に係る運転支援装置の概略構成を示すブロック図である。
【図２】図２は、図１中の発光装置の車両内の搭載位置の一例を示す図である。
【図３】図３は、図１中の発光装置の構造の一例を示す図である。
【図４】図４は、本実施形態の運転支援装置により実施される支援刺激提示処理のフローチャートである。
【図５】図５は、図４のフローチャートの支援刺激生成処理ブロックにおける支援刺激と交差点到達時間との関係を示す図である。
【図６】図６は、図４のフローチャートの刺激変化実施判断処理ブロックにおける刺激変化処理の実施の判断要件の一例を示す図である。
【図７】図７は、図４のフローチャートの刺激変化処理ブロックにおける発光図形の特徴量の変化内容の一例を示す図である。
【発明を実施するための形態】
【００１２】
以下に、本発明に係る運転支援装置の実施形態を図面に基づいて説明する。なお、以下の図面において、同一または相当する部分には同一の参照番号を付し、その説明は繰り返さない。
【００１３】
まず図１〜３を参照して、本実施形態に係る運転支援装置の構成について説明する。図１は、本発明の一実施形態に係る運転支援装置の概略構成を示すブロック図であり、図２は、図１中の発光装置の車両内の搭載位置の一例を示す図であり、図３は、図１中の発光装置の構造の一例を示す図である。
【００１４】
図１に示すように、運転支援装置１は、自車両としての車両２に搭載され、状態検出装置３と、ＥＣＵ４（Ｅｌｅｃｔｒｏｎｉｃ  Ｃｏｎｔｒｏｌ  Ｕｎｉｔ：電子制御ユニット）と、発光装置５（表示手段）とを備える。運転支援装置１は、状態検出装置３により取得される情報に基づいて、ＥＣＵ４が発光装置５を制御し種々の運転支援情報を車両２の運転者に提示させることで、運転者による車両２の安全な運転を支援するものである。特に本実施形態では、運転支援装置１は、車両２が交差点へ接近するときに、車両２の運転者に対して注意喚起するための発光図形６ａ，６ｂ（図５参照）を発光装置５に表示する。
【００１５】
車両２は、駆動輪を回転駆動させるための走行用駆動源として、エンジン、モータ等のいずれか一つを備える。車両２は、エンジンとモータとの両方を備えるハイブリッド車両、エンジンを備える一方でモータを備えないコンベ車両、モータを備える一方でエンジンを備えないＥＶ車両等のいずれの形式の車両であってもよい。
【００１６】
状態検出装置３は、車両２の状態や車両２の周囲の状態を検出するものであり、車両２の状態を表す種々の状態量や物理量、スイッチ類の作動状態等を検出するものである。状態検出装置３は、ＥＣＵ４に電気的に接続され、このＥＣＵ４に各種信号を出力する。本実施形態では、状態検出装置３は、車両２の進路前方の交差点に関する情報を検出するものであり、例えば、カメラ、レーダ、カーナビゲーション装置、地図データベース、路車間通信機、車車間通信機、無線通信装置、車速センサ、アクセルペダルセンサ、ブレーキペダルセンサ、等を含んで構成される。
【００１７】
ＥＣＵ４は、状態検出装置３から入力される各種情報に基づいて、車両２の各部の制御を行う。特に本実施形態では、ＥＣＵ４は、車両２の進路前方の交差点への接近度合いに応じて、発光装置５に表示する発光図形６（図５参照）を変化させて、車両２の運転者に対して交差点進入の注意を促すための運転支援を実施する。この運転支援のために、ＥＣＵ４は、交差点検出部４１、支援刺激生成部４２、及び刺激変化生成部４３の各機能を実現するよう構成されている。
【００１８】
交差点検出部４１は、状態検出装置３から入力される各種情報に基づいて、車両２の進路前方の交差点を検出する。交差点検出部４１による交差点検出手法は、交差点を検出可能な周知の手法を用いることができ、例えば、車両２に搭載したカメラやレーダ等による検知手法や、カーナビゲーション装置や地図データベースを用いた地図検索手法などを用いることができる。また、路車間通信機により取得可能な交差点カメラからの映像情報等の交差点に関する情報や、車車間通信機により取得可能な他車両からの情報、無線通信装置により取得可能なインターネット網からの情報など、自車外からの情報を活用して交差点を検知することもできる。
【００１９】
交差点検出部４１は、車両２の進路前方に交差点を検出した場合には、車両２の交差点への接近度合いを算出し、この情報を支援刺激生成部４２に出力する。本実施形態では、交差点への接近度合いを示す情報とは、交差点までの到達所要時間である。
【００２０】
支援刺激生成部４２は、交差点検出部４１により交差点が検出され、車両２が交差点に接近している場合に、車両２の運転者に対して注意喚起するための支援刺激を生成する。ここで、「支援刺激」とは、車両２の運転者に対して、注意につながる具体的行動である「視野の左右拡大」を誘導支援することが可能な視覚刺激であり、具体的には、発光装置５に表示する通常時（交差点に接近していない状態）の発光図形６を左右に分割した発光図形６ａ，６ｂ（図５参照）である。
【００２１】
支援刺激生成部４２は、車両２が交差点に接近するとき、発光図形６の外縁の少なくとも一部が発光装置５の中央から外側へ向けて移動するよう、発光図形６の形状を変形させる。より詳細には、車両２が交差点に接近するとき、発光図形６を左右に分割し、左側に分割された発光図形６ａが発光装置５の中央から左側へ、また、右側に分割された発光図形６ｂが発光装置５の中央から右側へ移動するよう、発光装置５に表示する発光図形６の形状を変更する。
【００２２】
また、支援刺激生成部４２は、車両２と交差点との接近度合い、すなわち交差点検出部４１により算出された交差点までの到達所要時間に応じて、左右に分割した発光図形６ａ，６ｂの移動量を変化させる。言い換えると、到達所要時間が短くなるほど、左右に分割した発光図形６ａ，６ｂの間の幅が広がり、発光図形６ａ，６ｂのそれぞれが発光装置５の左右端に接近するように、発光装置５上の発光図形６ａ，６ｂの表示位置を変更する。
【００２３】
支援刺激生成部４２により生成される発光図形６ａ，６ｂの基本的特徴は、以下のとおりである。
（１）交差点において、交差道路が進路左右に各々ある場合、すなわち交差点が四叉路の場合、分裂後の発光図形６ａ，６ｂの移動は、発光装置５の中央から左右対称とする。
（２）交差道路が左右どちらか一方の場合、すなわち交差点が三叉路の場合、分裂後の発光図形６ａ，６ｂの移動は、発光装置５の中央から交差道路の存在方向と同じ方向のみとする。
上記（１），（２）の特徴を守れば、発光図形６ａ，６ｂの他の特徴（色、明るさ、大きさ等）は適宜任意のものを設定することができる。
【００２４】
また、発光図形６の分裂開始時刻は、交差点までの任意の到達所要時間とすることができ、例えば５秒前である。発光図形６の分裂後の移動速度は、発光図形６ａ，６ｂが交差点通過直前（例えば１秒前）までに発光装置５の左右端まで移動すればよく、その速度変化は任意に設定できる。例えば、速度変化無く発光図形６ａ，６ｂを等速で発光装置５の中央から左右端まで移動させてもよいし、加速と停止を繰り返し、発光図形６ａ，６ｂをスキップ移動させてもよい。
【００２５】
刺激変化生成部４３は、状態検出装置３から入力される各種情報に基づいて、事故のリスクが高まる状況である場合には、支援刺激生成部４２により生成された発光図形６ａ，６ｂの特徴量を強調させる。言い換えると、刺激変化生成部４３は、現在の車両２の走行状況が、事故の発生するリスクが高い状況である判断できる場合には、発光図形６ａ，６ｂの目立ちやすさを向上させ、より一層運転者が支援刺激に気付きやすくなるよう、色、輝度、大きさ、速度変化などの発光図形６ａ，６ｂの特徴量を変更する。なお、刺激変化生成部４３の処理については、図６，７を参照して後述する。
【００２６】
ＥＣＵ４は、物理的には、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びインターフェースなどを含む周知のマイクロコンピュータを主体とする電子回路である。上述したＥＣＵ４の各機能は、ＲＯＭに保持されるアプリケーションプログラムをＲＡＭにロードしてＣＰＵで実行することによって、ＣＰＵの制御のもとで車両内の各種装置を動作させると共に、ＲＡＭやＲＯＭにおけるデータの読み出し及び書き込みを行うことで実現される。
【００２７】
発光装置５は、ＥＣＵ４の支援刺激生成部４２及び刺激変化生成部４３により生成された支援刺激としての発光図形６，６ａ，６ｂ（対象）を、運転者に視認可能に表示する。発光装置５は、例えば図２に示すように、車両２の運転席前方のインストルメントパネル２１の上面に、フロントウィンドウガラス２２と対向して設置される。特に、発光装置５からの光をフロントウィンドウガラス２２で反射した虚像３１を、運転者の周辺視野の最下層で運転者に認識させることが可能となる位置に設置される。例えば、発光装置５は、メーターパネル２３よりフロントウィンドウガラス２２側（換言すると、アイポイント３０から見てインストルメントパネル２１の奥側）の位置に設置される。
【００２８】
図３に示すように、発光装置５には、複数の光源５ａ（例えばＬＥＤまたはバルブ等）がアレイ状（複数行・複数列）に配置されている。発光装置５の形状は、フロントウィンドウガラス２２のうち虚像３１の表示部分の断面の湾曲（曲面）に合わせた、湾曲した、手前側が凹んだ形状となっている。そして、個々の光源５ａも、発光装置５内に、虚像３１の表示部分の断面の湾曲（曲面）に合わせて、湾曲して配置されている。このような配置を採ることで、発光装置５からの光による虚像３１を、運転者から見て水平かつ横長の略長方形状でフロントウィンドウガラス２２に映し出すことができ、これにより、発光装置５の各光源５ａにより生成する発光図形６，６ａ，６ｂを運転者に提示することができる。
【００２９】
次に、図４〜７を参照して、本実施形態に係る運転支援装置の動作について説明する。
【００３０】
図４は、本実施形態の運転支援装置により実施される支援刺激提示処理のフローチャートであり、図５は、図４のフローチャートの支援刺激生成処理ブロックにおける支援刺激と交差点到達時間との関係を示す図であり、図６は、図４のフローチャートの刺激変化実施判断処理ブロックにおける刺激変化処理の実施の判断要件の一例を示す図であり、図７は、図４のフローチャートの刺激変化処理ブロックにおける発光図形の特徴量の変化内容の一例を示す図である。
【００３１】
図４のフローチャートに沿って、運転支援装置１による支援刺激提示処理について説明する。図４のフローチャートに示す処理は、ＥＣＵ４により例えば所定時間ごとに実施される。
【００３２】
まず、交差点検出部４１により、交差点を検出する交差点検出処理が行われる（Ｓ１）。交差点検出部４１は、状態検出装置３から入力される各種情報に基づいて、車両２の進路前方に交差点の有無を確認する。そして、交差点を検出したときには、交差点までの到達所要時間を算出し、支援刺激生成部４２に出力する。
【００３３】
ステップＳ１にて交差点検出部４１により交差点が検出されると、次に支援刺激生成部４２により、発光装置５に表示する支援刺激（発光図形６ａ，６ｂ）を生成する支援刺激生成処理が行われる（Ｓ２）。支援刺激生成部４２は、車両２が交差点に接近すると、通常時（交差点に接近していない状態）の発光図形６を左右に分割し、車両２の交差点到達時間に応じて、分割した発光図形６ａ，６ｂの発光装置５上の表示位置を決定する。
【００３４】
ここで、図５を参照して、支援刺激生成処理における支援刺激と交差点到達時間との関係を説明する。図５の右側には、車両２の走行路と進路前方の交差点が図示されている。図５において車両２の進行方向は下方向である。図５には、車両２の走行路に沿って、交差点への進入位置を０（秒前）として、交差点への到達所要時間（交差点到達時間）（秒前）が１秒単位で図示されている。そして、交差点到達時間の各時点ごとに、発光装置５上に表示される発光図形６ａ，６ｂが図示されている。
【００３５】
図５に示すように、交差点到達時間が所定のｎ秒前（例えば５秒前）より大きい位置では、支援刺激生成部４２は、発光装置５の中央位置に通常時の発光図形６を表示する。図５の例では、発光図形６は楕円形状であるが、他の形状でもよい。
【００３６】
交差点到達時間がｎ秒前になると、支援刺激生成部４２は、通常時の発光図形６を左右に分割して２つの発光図形６ａ，６ｂを生成する。そして、交差点到達時間が短くなるのに応じて、分割した２つの発光図形６ａ，６ｂをそれぞれ左右外側に向けて離間させるように、発光図形６ａ，６ｂの表示位置を設定する。例えば、交差点到達直前（図５の例では１秒前）に各発光図形６ａ，６ｂが発光装置５の左右端に到達するように設定することができる。図５に示す例では、交差点到達時間がｎ→ｎ−１→・・・→２→１と短くなるにつれて、１秒ごとに発光図形６ａ，６ｂが均一の刻み幅で発光装置５の外側に向けて推移し、交差点到達時間１秒前に発光装置５の左右両端に到達している。なお、図５の例では、発光図形６ａ，６ｂは円形状であるが、他の形状でもよい。
【００３７】
交差点到達時間が０となったとき、すなわち、車両２が交差点に到達したときには、発光図形６ａ，６ｂは一旦発光装置５から消滅される。そして、交差点通過後（図５に交差点到達時間が−１で図示する位置）にて、通常時の発光図形６が発光装置５に再度描画される。
【００３８】
図４に戻り、ステップＳ２にて支援刺激生成部４２により発光図形６ａ，６ｂが生成されると、次に、刺激変化生成部４３により、発光図形６ａ，６ｂの特徴量を強調変化させる処理（刺激変化処理）を実施するか否かを判断する刺激変化実施判断処理が行われる（Ｓ３）。刺激変化生成部４３は、車両２の現在の走行状態、より詳細には、運転者の運転行動情報（運転操作、非運転操作、体調、心理変化など）や、道路環境情報（信号、横断歩道、混雑、天候など）に基づいて、車両２の現在の走行状態が事故のリスクが高まる状況であるか否かを判定する。そして、事故のリスクが高い状況であると判定した場合に、刺激変化処理の実施を決定する。
【００３９】
刺激変化生成部４３は、刺激変化実施判断処理のための複数の判断要件を備えており、現在の車両２の走行状態がこれらの判断要件に該当するか否かを比較することよって、刺激変化処理の実施可否を判断することができる。刺激変化実施判断処理のための複数の判断要件の一例を図６に示す。
【００４０】
図６に示すように、車両２の走行状態に関する２つの「切り口」として、“運転行動”と“道路環境”が設けられ、それぞれに項目「事故のリスクが高まる状況」の複数の要素が設定されている。そして、項目「事故のリスクが高まる状況」の個々の要素ごとに、項目「刺激変化処理実施の判断要件」の要素が個別に設定されている。例えば、項目「事故のリスクが高まる状況」の一要素“（１）減速行動なし”には、項目「刺激変化処理実施の判断要件」の要素として“（１）−１アクセルペダルを踏んでいる”と“（１）−２ブレーキペダルを踏んでいない”の２つの要素が設定されている。
【００４１】
刺激変化生成部４３は、状態検出装置３から入力される各種情報に基づいて、車両２の現在の状況が図６に示す複数の判断要件に該当するか否かを判定する。そして、車両２の現在の状況が図６に示す複数の判断要件の少なくとも１つを満たす場合に、事故のリスクが高い状況であると判定し、刺激変化処理の実施を決定する。なお、図６に例示する判断要件は、いずれか１つを単独で使用してもよいし、他の判断要件を追加して使用してもよい。また、複数の判断要件を組み合わせ、全ての要件を満たす場合に刺激変化処理の実施を決定するよう構成してもよい。
【００４２】
図４に戻り、ステップＳ３にて刺激変化処理を実施すると判断されると、引き続き刺激変化生成部４３により、発光図形６ａ，６ｂ（支援刺激）の特徴量を強調変化させる刺激変化処理が行われる（Ｓ４）。刺激変化処理における、発光図形６ａ，６ｂの特徴量の強調変化内容の一例を図７に示す。
【００４３】
図７に示すように、強調変化させる発光図形の特徴量としては、例えば、色、明るさ（輝度）、大きさ、移動速度を含むことができる。図７には、「発光図形の特徴量」、「変化の方向性」、「変化具体例」の各項目が対応付けて示されており、発光図形６ａ，６ｂ特徴量ごとに、強調変化内容の具体例が個別に示されている。
【００４４】
例えば、強調変化させる「発光図形の特徴量」が“色”である場合には、「変化の方向性」は“ＲＧＢ表示におけるＲ（赤）成分を増加”することであるので、発光図形６ａ，６ｂの色を“緑色→オレンジ色”に強調変化させることができる。強調変化させる「発光図形の特徴量」が“明るさ”である場合には、「変化の方向性」は“輝度増加”であるので、発光図形６ａ，６ｂの輝度を５０（ｃｄ：カンデラ）から１００（ｃｄ）に増加させることができる。強調変化させる「発光図形の特徴量」が“大きさ”である場合には、「変化の方向性」は“面積拡大”であるので、発光図形６ａ，６ｂの半径を大きくするか、または発光図形６ａ，６ｂの図形端の仕様をぼかした状態からエッジ強調に変更することができる。強調変化させる「発光図形の特徴量」が“移動速度”である場合には、「変化の方向性」は“加速”であるので、発光図形６ａ，６ｂの移動速度の最大値を増加させるか、または、移動速度の速度差（最大値と最小値の差）を大きくすることができる。
【００４５】
図４に戻り、ステップＳ２にて生成された発光図形６ａ，６ｂ、またはステップＳ４にて強調表示された発光図形６ａ，６ｂが、発光装置５に表示される刺激出力処理が行われ（Ｓ５）、処理を終了する。なお、ステップＳ２〜Ｓ４の各処理が実施されない場合には、通常時の発光図形６が発光装置５の中央位置に表示される。
【００４６】
次に、本実施形態に係る運転支援装置の効果について説明する。
【００４７】
本実施形態の運転支援装置１は、車両２の運転者に注意喚起をするための発光図形６を表示する発光装置５を備え、車両２が交差点に接近するとき、発光図形６の外縁の少なくとも一部が発光装置５の中央から外側へ向けて移動するよう、発光図形６を変形させて発光装置５に表示する。
【００４８】
この構成により、発光図形６の外縁の少なくとも一部を発光装置５の中央から外側へ移動するよう変形させて表示することで、車両２が交差点に接近する際に運転者の視野を広げるよう誘導し、これにより運転者の注意を促すことができるので、交差点通過時における効果的な注意喚起が可能となる。また、従来技術のように交差点接近時に突発的に警報を提示するのではなく、発光装置５に表示する発光図形６の変化によって運転者に注意喚起することができるため、注意喚起に対する運転者の不快感を抑制でき、運転者の煩わしさを低減できる。
【００４９】
また、本実施形態の運転支援装置１は、車両２が交差点に接近するとき、発光図形６を左右に分割し、左側に分割された発光図形６ａが発光装置５の中央から左側へ、また、右側に分割された発光図形６ｂが発光装置５の中央から右側へ移動するよう、発光図形６を変形させて発光装置５に表示する。
【００５０】
この構成により、交差点への接近に応じて左右に分割された発光図形６ａ，６ｂを運転者に提示することで、車両２の運転者に対して、注意につながる具体的行動である「視野の左右拡大」を誘導支援することができるので、より一層効果的な注意喚起が可能となる。
【００５１】
また、本実施形態の運転支援装置１は、車両２の交差点への接近度合い（交差点への到達所要時間）に応じて、変形された発光図形６ａ，６ｂの移動量を変化させる。この構成により、車両２の運転者に対して、注意につながる具体的行動である「視野の左右拡大」の誘導支援をより一層効果的に行うことができる。
【００５２】
また、本実施形態の運転支援装置１は、運転者の運転行動情報または道路環境情報に基づき、変形された発光図形６ａ，６ｂの特徴量を強調させる。この構成により、運転者の状態（運転操作、非運転操作、体調、心理変化など）や道路環境（信号、横断歩道、混雑、天候など）による注意喚起の阻害要因の影響を低減することができ、車両２の運転者に対して注意喚起するための発光図形６ａ，６ｂを、より確実に運転者に対して伝えることが可能となる。
【００５３】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれるものである。
【００５４】
上記実施形態では、交差点接近時に、通常時の発光図形６を左右に分割し、分割された発光図形６ａ，６ｂが到達所要時間に応じてそれぞれ発光装置５の左右外側に移動する構成を例示したが、発光図形６の変形手法は、交差点へ接近していることが運転者に提示できればよく、例えば、通常時の発光図形６を分割せずに発光装置５の左右方向に延伸する構成や、同心円状に発光装置５の中心から外側に移動する構成など、他の構成としてもよい。また、分割された発光図形６ａ，６ｂの移動方向を、上下方向など左右方向以外の方向としてもよい。
【００５５】
また、上記実施形態では、車両２の運転者が視認可能な発光図形６，６ａ，６ｂを表示する表示手段の一例として、図２、３に構成を図示した発光装置５を例示したが、表示手段は運転者に発光図形６，６ａ，６ｂを提示可能であればよく、発光図形の表示手法、運転者への提示手法、画面形状等の異なる他の表示手段や、非発光型の表示手段を適用してもよい。
【００５６】
また、上記実施形態では、車両２の運転者に注意喚起するために発光装置５（表示手段）に表示する支援刺激としての対象の一例として、楕円形状の通常時の発光図形６と、円形状の交差点接近時の発光図形６ａ，６ｂとを例示したが、支援刺激としての対象は、車両２の運転者に対して注意喚起できればよく、円形及び楕円形以外の他の形状の図形でもよいし、記号または文字としてもよい。また、支援刺激としての対象は、非発光型など他の表現形態でもよい。
【００５７】
また、上記実施形態では、車両２の交差点への接近度合いを示す情報として、交差点までの到達所要時間を用いたが、交差点までの距離など他の情報としてもよい。
【符号の説明】
【００５８】
１  運転支援装置
２  車両
３  状態検出装置
４  ＥＣＵ
４１  交差点検出部
４２  支援刺激生成部
４３  刺激変化生成部
５  発光装置（表示手段）
６，６ａ，６ｂ  発光図形（対象）
【図１】
0005817638.tif 000002
【図２】
0005817638.tif 000003
【図３】
0005817638.tif 000004
【図４】
0005817638.tif 000005
【図５】
0005817638.tif 000006
【図６】
0005817638.tif 000007
【図７】
0005817638.tif 000008